(57)【要約】      （修正有）【課題】内部爆発を外部の可燃性気体または蒸気に伝達せずに、開閉試験に１０回かけることができる内部中断装置を提供する。【解決手段】密閉型モータ保護装置は、ベース（１０）と、ベース上で受けられ、ベース内に形成された窪み（１０ａ）を囲むカバー（１２）とによって形成されたハウジングを有する。カバーには、横方向断面図で見た場合に三角形の本体の形態であり、第１端子受け開口を閉鎖する第１複数壁バリア（１２２）と、第２端子受け開口を閉鎖する第２複数壁バリア（１２４）とを形成し、アークの進行および爆発性気体の筐体への進入を阻止する。これらの形体は、筐体への空気供給も減少させ、それによって燃焼を弱める。【選択図】図１
2006114488.tif 000002
【特許請求の範囲】
【請求項１】
ベースおよびカバーによって形成されたハウジング、ベース内に形成され、ベースの側壁によって画定された概ね細長い窪みを有する密閉型保護装置であって、窪みは対向する第１および第２端を有し、
一方の対向端に装着された第１端子を有し、第１端子は、窪み内に配置され、概ね平坦な接点装着部分を有し、第１端子は、ハウジングの壁の開口を通って延在し、さらに、
第１端子の装着部分に装着した静止接点、第１および第２端を有する細長い可動接点アーム、ベースに装着した第２端子、第２端子に電気的に接続された導電性可動接点アーム装着台を含み、該装着台は、窪みの第２端に配置され、可動接点アームの第２端は、台に電気的に接続し、可動接点は、可動接点アームの第１端に装着されて、静止接点と係合し、係合解除するように配置構成され、さらに、
窪みに位置決めされ、可動接点アームを所定の熱状態で動作させ、可動接点を静止接点と係合させ、係合解除させるように配置構成されたサーモスタット金属要素を有し、
ベースに、窪みの第１端に隣接する端子受け棚を形成し、導電性部分が、端子受け棚で受けられ、第２端子と電気的に接続し、
ベース上で支持されるカバーを有し、改良点は、カバーの側壁が、第１複数壁バリアを形成する静止接点および可動接点にぴったり隣接する第１端子上で受けられ、隔置された部分を有して、接点からのアークの進行を制限することを含み、カバーの側壁が、第２複数壁バリアを形成する端子受け棚に隣接する窪みの第１端で、ベースの周囲に沿って隔置された追加の壁部分を有して、接点からのアークの進行を制限するものである保護装置。
【請求項２】
第１複数壁バリアの壁部分が、相互に接合して、中空の三角形壁バリアを形成する、請求項１に記載の保護装置。
【請求項３】
第１複数壁バリアの２つのバリア壁部分の間に、直立切り欠きを形成し、ベースの側壁を切り欠き内で受ける、請求項１に記載の保護装置。
【請求項４】
切り欠きの一方側が、基本的に第１端子の接点装着部分の厚さと同じ距離にわたって長さ方向に延在し、接点装着部分に隣接して受けられる、請求項３に記載の保護装置。
【請求項５】
さらに、複数の壁バリアに隣接するが、第１端子の外側に配置されたカバーの別の側壁部分を有する、請求項１に記載の保護装置。
【請求項６】
第２複数バリア壁の壁部分が、概ね相互に平行である個々の面にある、請求項１に記載の保護装置。
【請求項７】
ハウジングに開口を形成し、さらに環境からの密封を提供するために各開口を充填するエポキシを有する、請求項１に記載の保護装置。
【請求項８】
密閉型保護装置であって、
ベースを有し、概ね細長い窪みがベース内に形成されて、ベースの側壁によって画定され、窪みが対向する第１および第２端を有し、さらに、
一方の対向端にてベースの側壁を通って形成されたスロットを通って延在する第１端子を有し、第１端子が、窪み内に配置された概ね平坦な接点装着部分を有し、さらに、
第１端子の装着部分に装着された静止接点と、
第１および第２端、窪みの第２端にて装着台を有する第２端子を有する細長い可動接点アームとを有し、可動接点アームの第２端が、装着台に装着され、さらに可動接点アームの第１端に装着され、静止接点と係合し、係合解除するように配置構成された可動接点を有し、さらに、
ベース上で支持されるカバーを有し、カバーは、第１および第２複数壁バリアを有する側壁を有し、一方のバリアは第１端子の一部と整列し、第２バリアは、窪みの第１端にて、ベースの周囲に沿って隔置され、平行に延在する壁部分を含み、第１および第２複数壁バリアが、接点からのアークの進行を制限する働きをする保護装置。
【発明の詳細な説明】
【技術分野】
【０００１】
３５  Ｕ．Ｓ．Ｃ．セクション１１９（ｅ）（１）により、１０／１２／０４に出願された暫定出願第６０／６１８，０８３号の優先権を主張する。
【０００２】
本発明は概ねモータ保護装置に、特に密閉型電気中断装置に関する。
【背景技術】
【０００３】
Texas Instruments Incorporatedに譲渡された米国特許第４，７０６，１５２号は、４ＴＭおよび５ＴＭとして知られている密閉型中断装置に関する。密閉型中断装置は、国際電気標準会議（ＩＥＣ）の規格６００７９−５第２版２００１−０２によると、「接続および中断し、自身に入るような可燃性気体または蒸気の内部爆発に、損傷をうけず、内部爆発を外部の可燃性気体または蒸気に伝達することなく耐える電気接点を組み込んだ装置」である。言及した特許により作成されている４ＴＭおよび５ＴＭ装置は、ＩＥＣ規格６００７９−１５の第１版に適合し、これは、密閉型中断装置が内部の爆発を外部の可燃性気体または蒸気に伝達せずに、開閉試験に３回合格することを必要とする。しかし、このような装置は、密閉型中断装置が開閉試験に１０回合格することを必要とするＩＥＣ規格６００７９−１５の第２版の要件に適合しないことがある。
【発明の開示】
【発明が解決しようとする課題】
【０００４】
ＩＥＣ規格６００７９−１５の第２版（２００１−０２）に適合する４ＴＭ／５ＴＭタイプの装置を提供することが、本発明の目的である。
【０００５】
本発明の別の目的は、内部爆発を外部の可燃性気体または蒸気に伝達せずに、開閉試験に１０回かけることができる内部中断装置を提供することである。
【課題を解決するための手段】
【０００６】
従来の４ＴＭ／５ＴＭタイプの装置は、電気絶縁材料のベースを有し、その中に細長い窪みが形成される。第１端子を第１端に装着し、自身上に静止接点を装着した状態で、窪み内に配置した接点装着部分を設ける。細長い可動接点アームは、別の端子に接続した装着部分に固定状態で装着した第１端を有する。可動接点を、可動接点アームの自由端に装着し、静止接点と係合して、係合解除するように配置構成する。細長い窪みの端部の中間にウェルを形成し、その中に、ウェル上でベース内に配置されたサーモスタット式ディスクと熱伝達関係にある状態で加熱装置を配置する。ディスクは、予め選択した温度まで加熱されると、一方の皿型形状から反対側の皿型形状へとスナップ動作するような構成である。ディスクがスナップ動作すると、これは動作を可動接点アームに伝達し、可動接点を静止接点から係合解除させ、それによって自身を通る回路の経路を中断する。電気絶縁材料のカバーを、ベース上で受けて、スイッチ機構を囲む。しかし、電気接点から、カバーとベースの間の位置にある開口へと至る２本の経路があり、カバーの側壁はベースと交互嵌合しないか、ベースの切り欠き状台座棚またはカバーの同等の遮断突起で閉鎖していない。これらの位置によって、保護装置ハウジングの外側にある可燃性気体がハウジングに入ってしまい、内部のアークが装置の外側の可燃性気体に点火してしまう。第１経路が図３および図６の線２ａで図示され、これは接点から、ベースおよびカバーのスロット／開口の側壁と第１端子ブレード部分との間のスロット／開口を通って直接延在する。第２経路が線２ｂ（図３）で図示され、これは接点から、窪みの端部を受ける接点の後部分にある壁上を延在する。
【０００７】
本発明の好ましい実施形態によると、カバーは、開閉接点からのアークの進行を阻害するために第１および第２複数壁バリアを形成することによって改良する。第１複数壁バリアは、隔置された壁部分を有し、これを、静止接点および可動接点にすぐ隣接している第１端子の装着部分で受ける。本発明の形体によると、壁部分は、ベースの底壁に平行に切り取った断面に対して、概ね三角形の形状を形成する。この構造は、ベースとカバーの間の空間の容積を減少させる働きもし、これによって内部爆発への燃料供給を最少量にする。カバーの別の変形によると、垂直に延在する切り欠きを壁に形成し、これがベースの対応する側壁の隅部分と嵌合して、アークの進行をさらに阻止する。第２複数壁バリアは、窪みの第１端の側で、ベースの周囲に沿って別のセットの隔置された壁部分を有し、接点からのアークの進行を制限して、空間の余分な体積をさらに減少させる。本発明の別の好ましい実施形態では、装置のハウジングに形成された様々な開口をエポキシで密封して、外部可燃性気体からの内部爆発の伝搬を防止する。密封は、独自に、または上述したカバーの改良とともに使用することができる。
【０００８】
本発明の他の目的および特徴は、好ましい実施形態に関する以下の詳細な説明を、添付図面との関連で考察すると明白になり、図面では、同様の参照文字は幾つかの図を通して同様の構成要素または構造的特徴を指す。
【発明を実施するための最良の形態】
【０００９】
以下の説明では、図３、図５、図８、図９、図１３および図１５で示したような装置の方向に対して、上、下、側方などと称する。
【００１０】
図１から図５を参照すると、上記で言及した４ＴＭおよび５ＴＭ装置は、装置の前部に沿った主要長さ、および装置の前方から後方への副次的長さを有する概ね長方形のベース１０を有するハウジングを有する。窪み１０ａをベースに形成し、その上でカバー１２を受けて、窪みを閉鎖する。以下で検討するカバー案内ピン１２ｄ、１２ｅそれぞれを受けるために、第１および第２案内ピン穴１０ｔ、１０ｕを、底壁に形成する。特に図３を参照すると、窪み１０ａは、主要長さの方向に概ね延長し、接点受け端１０ｂ、反対側の可動接点アーム装着端１０ｃ、および２つの端部の中間にある中央加熱装置受け部分１０ｄを有する。窪みの接点受け端１０ｂは、前方は側壁部分１０ｅに、図３で見た状態でベースの左側では線１０ｇｌから下方向にテーパ状になった１０ｅおよび１０ｅｌによって画定され、前側および左側では、オフセットした下部台座棚１０ｆがこれらの部分に隣接する。窪みの接点受け端の後側は、壁部分１０ｅによって画定され、下方向にテーパ状の部分が、線１０ｇから、図３で見た状態でその壁部分の右端まで延在する。以下で検討するように、窪みの接点受け端の後部分に沿って、台座棚がない。窪みを画定する壁の接点受け端の後側の外側には、下方向に隔置された端子受け棚１０ｈがある。中心加熱装置受け部分１０ｄは、前方が、外部へと下方向にさらにオフセットした棚１０ｍとともに下方向にオフセットした部分１０ｋによって画定され、後側が、壁部分１０ｆによって画定される。窪みの中心加熱装置受け部分１０ｄを画定する壁部分１０ｆの外側には、端子受け棚１０ｈよりさらに下方向にオフセットした別の端子受け棚１０ｎがある。つまり、棚１０ｎは、棚１０ｈよりもベースの底壁に近い。窪みの可動接点アーム装着端１０ｃは、側壁１０ｅによって画定され、外壁部分１０ｆが台座棚として働く。
【００１１】
特に図３および図５Ａを参照すると、側壁１０ｅにスロット１０ｏが形成され、以下で検討する第１端子１４を受けるために、窪みの接点受け端１０ｂの左側を画定する。第２端子１６は、棚１０ｎで受けるベース部分１６ａを有し、本体部分１６ｃのさらに高いレベルまで上方向に延在する、横方向に延在するステップ部分１６ｂを有する。別個の導電性端子細片１６ｄを、端子受け棚１０ｈで受け、これに横方向に延在するステップ部分１６ｅを設け、これは窪みの中心加熱装置受け部分の後部を画定する壁部分１０ｆと、窪み１０ｄの中心加熱装置受け部分との間の空間１０ｒで、中心加熱装置受け窪み部分の底部へと下方向に延在し、細片部分１６ｄの端１６ｆが、窪みの環状ウェル１０ｑ内に配置され、以下で検討する加熱装置２０の一方端２０ａの接続位置として働く。第２端子１６の本体部分１６ｃは、溶接などにより、棚部分１０ｈ上の端子細片１６ｄに固定され且つ電気接続される。
【００１２】
第１端子１４は、窪み１０ａの接点受け端１０ｂに配置された概ね平坦な第１装着部分１４ａ、ベースの底壁の開口１ｗを通って下方向に突出し、装着部分を固定するために、開口１０ｗを通って受けた後に隔置された１対の締め付けフィンガ１４ｅを形成したアーム１４ｄを有する。第１端子１４は、ハウジングの側壁の開口から出て延在する相互接続ブレード部分を含む第２部分１４ｂを有する。
【００１３】
窪み１０ａの可動接点アーム装着端１０ｃで受ける導電性可動接点アーム装着台１７（図５Ａおよび図１１参照）に、細片部分１６ｄの端１６ｆから壁１０ｆの垂直方向に延在するリブ１０ｓの反対側で、環状ウェル１０ｑ内の位置にある端部分１７ａへと階段状に下がるアームを設ける。台１７のアームの端部分１７ａは、加熱装置２０の第２端２０ｂの接続点として働く。台１７は、細長い可動接点アーム１８の端１８ｂに固定状態で電気接続され、これは窪み１０ａの主要長さの方向に延在する。可動接点１８ａは、その自由端で可動接点アーム１８の底面に装着され、第１端子の装着部分１４ａに装着された静止接点１４ｃと電気的に係合し、係合解除するように配置構成される。
【００１４】
第３ピン受け端子２４（図１）は、ピン受け部分２４ｂが、カバーの耳１２ｐ間の空間と整列した状態で、カバー１２の上面で受ける本体部分２４ａを有する。端子２４は、第１端子１４のブレード部分１４ｂへと延在するアーム２４ｃを有し、溶接によってそれに電気接続する。
【００１５】
上述したように、加熱装置２０（図５Ｂ参照）は、窪み１０ａの中心加熱装置受け部分１０ｄのウェル１０ｑに配置され、サーモスタット式のスナップ動作ディスク２２（図５Ａ参照）を、窪み１０ｄのその部分に形成したディスク座で受け、したがってディスクは、加熱装置の上にあり、それと熱伝達関係にある。ディスク２２は、通常の周囲温度で、ディスクが可動接点アーム１８と係合解除した第１皿型形状であるが、所定の起動温度に到達すると、ディスクは可動接点アーム１８のディンプル１８ｃと係合する反対側の第２皿型形状へとスナップ動作して、可動接点１８ａを静止接点１４ｃから係合解除させ、それによって端子１６と１８間の電気経路を開放する。
【００１６】
図４で最もよく図示され、図１に対して反転して図示されたカバー１２に、窪み閉鎖壁１２ａおよび側壁１２ｂを形成し、これは概ね窪み閉鎖壁１２ａの外周に形成され、そこから直角に延在し、側壁１２ｂは、ベース１０の側壁１０ｅの台座棚部分１０ｆと整列可能である。側壁１２ｂに形成されたスロットまたは開口１２ｃが、窪み閉鎖壁１２ａ内へと延在し、ベースのスロットまたは開口１０ｏと整列可能であり、端子１４のブレード部分１４ｂへとアクセスを提供する。第１および第２位置合わせポスト１２ｄ、１２ｅはそれぞれ、窪み閉鎖壁１２ａから直角に延在して、ベース１０の対合するボア１０ｔ、１０ｕそれぞれで受けるような構成である。側壁１２ｂは、中心前部分１２ｆで高さ方向に延在し、ベースの台座棚１０ｍ上で受けるような構成である。つまり、壁部分１０ｋと１０ｍの間の段で受ける壁部分１２ｆと相互嵌合するか、締まり嵌めするために、壁部分１０ｋを越えて延在する。図４には、ディスク座の外周部分と整列可能な対向する位置に配置された第１および第２ディスク保持ピン１２ｇも図示されている。第１および第２細長ブロック１２ｈが、壁の主要長さに沿って延在する壁１２ａ上に、ディスク保持ピンの一方の各側で側壁１２ｂに隣接して形成され、高さ方向は側壁１２ｂを越えて延在する。
【００１７】
図１から図５で示す通りに作成した保護装置は、極めて良好に作動し、様々な産業で広く使用されてきたが、装置の特定の態様は、装置が上記で検討した「密閉型中断装置」に関する国際電気標準会議の規格の要件における最近の変化に確実に適合するために、改良する必要がある。特に図３、図５Ａから図５Ｃおよび図６を参照すると、接点１８ａ、１４ｃから、カバーとベースの間の位置の開口へと至る２本の経路があり、カバー側壁はベースと相互嵌合しないか、ベースの切り欠き状台座棚などで閉鎖していない。これらの位置によって、保護装置ハウジングの外側の可燃性気体がハウジングに入ることができ、内部のアークが装置の外側の可燃性気体に点火することができる。第１経路が線２ａ（図３および図６）で図示され、これは接点から、ベース１０のスロット／開口１０ｏおよびカバー１２の１２ｃの側壁と端子ブレード部分１４ｂとの間で、ベースのスロット／開口１０ｏおよびカバーの１２ｃを通って直接延在する。第２経路が線２ｂ（図３）で図示され、これは接点から、窪み１０ｄの中心部分端１０ｂの後部分にある壁１０ｅおよび１０ｅｌ、および窪み１０ｄを受ける中心加熱装置の壁１０ｆ上を延在する。
【００１８】
本発明の好ましい実施形態の第１形体により作成した改良カバー１２０（図７参照）は、第１壁１２２ａを有する窪み閉鎖壁１２ａから、壁１２ａに直角に延在する第１複数壁バリア１２２を有し、これが端子受けスロット１０ｏの内面と基本的に面一になり、カバーをベース上で受けると（図１０参照）概ね窪み受け壁１２ａから、端子１４の水平に延在する平坦部分１４ｂへと延在するように配置される。耳１２ｐに最も近いスロット１０ｏの側では、壁１２２ａに対して概ね直角に第２壁１２２ｂが延在し、これは案内ピン１２ｅ上に延在し、次に第３壁１２２ｃが、壁１２２ａの尖端とポスト１２ｅの間に延在して、概ね三角形のバリア壁を形成し、これは窪み閉鎖壁１２ａから直角に延在し、これはアークの進行を中断する働きをするばかりでなく、カバーとベースの間の自由空間の体積も減少させる。つまり、燃焼を支持する燃料の量を削減する。窪み閉鎖壁１２ａに対して直角方向に延在する切り欠き１２２ｄ（図８）を、壁１２２ａと１２２ｃの交差部に形成することが好ましく、これはアークの進行をさらに阻止するために、ベースの側壁１０ｅを受けるような構成である。壁１２２ｃに沿って切り欠き１２２ｄを形成する壁バリア１２２の部分が、１２２ｅにて、基本的に端子１４の装着部分１４ａの厚さと同じ距離だけ延在することが好ましい。カバーを計画している場合、この延長部、つまりノブを、開口１０ｔに向かって延在する装着部分１４ａに隣接する開放空間で受ける。この三角形の形体は、基本的にアーク進行の第１経路２ａを閉鎖する。
【００１９】
ベース上に配置すると、バリアが、外周に沿って接点１４ｃ、１８ａに隣接するハウジングの第１端になるように、第２複数壁バリア１２４をカバー内に形成する。第２バリアは、細長いベースの主要長さに対して、壁１２４ａを追加し、そこから隔置され、これは窪み閉鎖壁１２ａに直角かつ側壁１２ｂに概ね平行に延在する。壁１２４ａは、外壁１２ｂと基本的に同じ距離だけ、窪み閉鎖壁１２ａから延在する。壁１２４ａは、カバーの副次的長さの端上で側壁１２ｂから遠い方の先端で、同じ高さの壁１２４ｂによって主要長さの側で側壁１２ｂに接合する。バリア１２４に隣接し、長手方向軸線、つまり主要長さの方向で側壁１２ｂに沿って延在するのは、ブロック１２４ｃであり、これはカバーと同じ材料で形成することが好ましく、ブロックは、側壁１２ｂより大きい距離にわたって垂直に延在する。ブロック１２４ｃは、接点受け窪みの後部分によって画定された導電性細片１６ｄの止め部１６ｅに隣接する壁部分１０ｅ、１０ｅｌと、窪みの中心加熱装置受け部分の背後にある壁部分１０ｆとの間の空間１０ｒに充填されるアーク・バリアとして働く。
【００２０】
代替実施形態によると、端子部分１４ｂは、図１３および図１４で見られるように、ハウジングの外周から内側に移動することができ、側壁部分１０ｅ’および１２ｂ’は連続的である。つまり側壁にはスロット１０ｏおよび１２ｃが形成されず、第１バリア１２２の壁１２２ａが基本的に、スロット１０ｏのすぐ先で側壁１０ｅに突き当たる。この場合、所望に応じてバリア１２２を切り欠き１２２ｄなしで形成することができ、バリア壁１２２ａがスロット１０ｏのすぐ先で側壁１０ｅに突き当たる。
【００２１】
図１５および図１６で示した別の代替実施形態によると、図１の構造は、自身から外側へとスロット１０ｏをわたって延在するように側壁部分１２６を形成することによって改良することができる。端子１４の位置は、図８で示したままでよいが、側壁１２６は、ベースの側壁１０ｅおよびカバーの側壁１２ｂのスロット１０ｏ、１２ｃをそれぞれ覆う。
【００２２】
図１および図２を参照すると、様々な目的のためにハウジングを通して幾つかの開口を形成し、これは、端子１４および１６の点線位置３および４、案内ピン１２ｄ、１２ｅの５、ベースの締め付け要素の６、および可動接点アーム装着部分へとアクセスを提供する７にある開口を有する。本発明の別の実施形態によると、これらの開口はそれぞれ、装置を組み立てると、適切なエポキシで密封することができる。これは、所望に応じて上述した実施形態とともに、またはそれに代わって実行することができる。
【００２３】
本発明を、その特定の実施形態に関して説明してきたが、多くの変形および改良が当業者には明白になる。したがって、請求の範囲は、先行技術に鑑みて、このような全ての変形および改良を含むように可能な限り広義に解釈するものとする。
【図面の簡単な説明】
【００２４】
【図１】装置の上から見た４ＴＭ／５ＴＭ装置の斜視図である。
【図２】同じ位置から見た図１の装置の斜視図であるが、装置を、図１で見た状態で紙の中へ上方向に半回転してある。
【図３Ａ】構成要素を設置する前の装置のベースの上面図である。
【図３Ｂ】ベースの様々な表面の相対的高さをよりよく示すために、図３Ａの位置に対してわずかな角度で示した図３Ａと同様の図である。
【図４】本発明より前に存在していた状態の図１の装置のカバーを、概ね図２の方向で見た斜視図である。
【図５Ａ】本発明より前に存在していた図１の装置の、カバーを外した状態の上面図である。
【図５Ｂ】図５Ａと同じであるが、図示のためにスナップ動作のディスクを外した状態である。
【図５Ｃ】図５Ｂと同じであるが、図示のためにディスクおよび加熱装置要素を外した状態である。
【図６】開閉接点を通して見た図５Ａから図５Ｃの装置の前面図の方向における切り取り断面図である。
【図７】本発明の好ましい実施形態により作成したカバーの図４と同様の図である。
【図８】図５Ａと同様の図であるが、カバーを水平断面図で示し、カバーは、図７で示した好ましい実施形態を組み込んでいる。
【図９】図７および図８の好ましい実施形態により作成した４ＴＭおよび５ＴＭ装置の上面図である。
【図１０】図９の線１０−１０で切り取った縦断面図である。
【図１１】図９の線１１−１１で切り取った縦断面図である。
【図１２】図９の線１２−１２で切り取った縦断面図である。
【図１３】図８と同様の図であるが、本発明の好ましい代替実施形態を示す。
【図１４】図１３の好ましい実施形態により作成した装置の図１と同様の斜視図である。
【図１５】図８および図１３と同様の斜視図であり、本発明の別の好ましい代替実施形態を示す。
【図１６】図１５の実施形態により作成した装置の図１５と同様の図である。
【符号の説明】
【００２５】
２ａ  線
２ｂ  線
１０  ベース
１０ａ  窪み
１０ｂ  中心受け端
１０ｃ  可動接点アーム装着端
１０ｄ  中心加熱装置受け部分
１０ｅ  側壁部分
１０ｆ  台座棚
１０ｇ  線
１０ｈ  端子受け棚
１０ｋ  オフセット部分
１０ｍ  オフセット棚
１０ｎ  棚
１０ｏ  スロット
１０ｑ  ウェル
１０ｒ  空間
１０ｓ  リブ
１０ｔ  開口
１０ｗ  開口
１２  カバー
１２ａ  窪み閉鎖壁
１２ｂ  側壁
１２ｃ  開口
１２ｄ  案内ピン
１２ｅ  案内ピン
１２ｆ  前部分
１２ｇ  第２ディスク保持ピン
１２ｈ  ブロック
１２ｐ  耳
１４  第１端子
１４ａ  装着部分
１４ｂ  平坦部分
１４ｃ  静止接点
１４ｄ  アーム
１４ｅ  フィンガ
１６  第２端子
１６ａ  ベース部分
１６ｂ  ステップ部分
１６ｃ  本体部分
１６ｄ  端子細片
１６ｅ  ステップ部分
１６ｆ  端部
１７  装着台
１７ａ  端部分
１８  可動接点アーム
１８ａ  可動接点
１８ｂ  端
１８ｃ  ディンプル
２０  加熱装置
２０ａ  端
２０ｂ  第２端
２２  ディスク
２４  第３品受け端子
２４ａ  本体部分
２４ｂ  ピン受け部分
２４ｃ  アーム
１２０  カバー
１２２  第１複数壁バリア
１２２ａ  第１壁
１２２ｂ  第２壁
１２２ｃ  壁
１２２ｄ  切り欠き
１２４  第２複数壁バリア
１２４ａ  壁
１２４ｂ  壁
１２４ｃ  ブロック
１２６  側壁部分
【図１】
2006114488.tif 000003
【図２】
2006114488.tif 000004
【図３Ａ】
2006114488.tif 000005
【図３Ｂ】
2006114488.tif 000006
【図４】
2006114488.tif 000007
【図５Ａ】
2006114488.tif 000008
【図５Ｂ】
2006114488.tif 000009
【図５Ｃ】
2006114488.tif 000010
【図６】
2006114488.tif 000011
【図７】
2006114488.tif 000012
【図８】
2006114488.tif 000013
【図９】
2006114488.tif 000014
【図１０】
2006114488.tif 000015
【図１１】
2006114488.tif 000016
【図１２】
2006114488.tif 000017
【図１３】
2006114488.tif 000018
【図１４】
2006114488.tif 000019
【図１５】
2006114488.tif 000020
【図１６】
2006114488.tif 000021